(57)【要約】  【課題】  金属が蒸着等された軽量の廃プラスチックや高比重の廃プラスチックが被選別物に含まれる場合でも、金属と廃プラスチックとの選別精度を向上し、人手による選別作業の負担を軽減することができる選別装置を提供する。  【解決手段】  被選別物１０を搬送する搬送部２と、搬送部２により搬送される被選別物１０中の金属１１を検知する金属検知部３と、搬送部２から落下供給される被選別物１０を非金属回収部４２に案内する第一案内姿勢と金属回収部４３に案内する第二案内姿勢との間で切替可能な被選別物案内部４１を備えた選別部４と、金属１１の落下供給時に被選別物案内部４１を第一案内姿勢から第二案内姿勢に切り替える姿勢切替機構を備える選別装置１であって、被選別物案内部４１が第二案内姿勢にある時に、落下供給される被選別物１０に選別ガスを噴射供給して、軽量物を非金属回収部４２に案内するノズル機構６を備える。【選択図】  図１
2007105582.tif 000002
【特許請求の範囲】
【請求項１】
被選別物を搬送する搬送部と、前記搬送部により搬送される被選別物に含まれる金属を検知する金属検知部と、前記搬送部から落下供給される被選別物を非金属回収部に案内する第一案内姿勢と金属回収部に案内する第二案内姿勢との間で案内姿勢を切替可能な被選別物案内部を備えた選別部と、前記金属検知部により検知された金属の落下供給時に前記被選別物案内部を前記第一案内姿勢から前記第二案内姿勢に切り替える姿勢切替機構を備えてある選別装置であって、
前記被選別物案内部が前記第二案内姿勢にあるときに、落下供給される被選別物に選別ガスを噴射供給して、軽量物を前記非金属回収部に案内するノズル機構を備えてある選別装置。
【請求項２】
前記ノズル機構に選別ガスを供給する送風機と、前記送風機による前記ノズル機構への送風量を調節する送風量調節機構を備え、前記被選別物案内部の案内姿勢に応じて前記送風量調節機構による送風量を調節する第一風量調節機構を備えてある請求項１記載の選別装置。
【請求項３】
前記ノズル機構より供給される選別ガスを誘引排気する誘引機と、前記誘引機による前記選別ガスの誘引量を調節する誘引量調節機構とを備え、前記誘引量調節機構による誘引量と前記送風量調節機構による送風量を同期させて調整する第二風量調節機構を備えてある請求項２に記載の選別装置。
【請求項４】
前記金属回収部に回収された被選別物から軽量物を除去する振動選別機構を備えてある請求項１から３の何れかに記載の選別装置。
【発明の詳細な説明】
【技術分野】
【０００１】
本発明は、例えば、廃プラスチック等の再利用可能な成分を回収し、資源の再利用を促進するための再資源化利用プラント等に設置され、再生利用可能な成分と異物とを選別する選別装置に関する。
【背景技術】
【０００２】
回収された廃プラスチックは、燃料やプラスチック製品の原料として再利用されている。燃料として再利用する場合には、輸送、保存等の利便性や燃焼効率の向上のために廃プラスチックを微細に粉砕した後に押し出し造粒方式の造粒機でペレット状に形成されるが、廃プラスチックに金属等の硬質の異物が混入していると、廃プラスチックの粉砕時における粉砕機の損傷、ペレットの押し出し工程における造粒機の損傷、形成されたペレットに異物が含まれることによる燃焼効率の低下や燃焼装置の故障等の不都合が生じる。これらの不都合を解消すべく、廃プラスチックから金属を選別除去する選別装置が提案されている。  
【０００３】
このような選別装置として、下記の特許文献１によれば、プラスチックとの複合構成物を破砕する破砕機と、破砕物から磁石にくっつく金属を選別する磁力選別機と、破砕物から磁石にくっつかない金属を選別する金属選別機と、金属選別後のプラスチック片表面を擦過してプラスチックから軽量異物を分離する振動ミルと、分離された軽量異物を選別する風力選別機とを備えたものが提案されている。
【０００４】
さらに、この種の選別装置として、図７に示すように、廃プラスチックを含む被選別物２０１を搬送する搬送部１０１と、前記搬送部１０１により搬送される被選別物２０１に含まれる金属２０２を検知する金属検知部１０２と、前記搬送部１０１から落下供給される被選別物２０１を非金属回収部１０３に案内する第一案内姿勢と金属回収部１０４に案内する第二案内姿勢との間で案内姿勢を切替可能な被選別物案内部１０５を備えた選別部１０６と、前記金属検知部１０２により検知された金属２０２の落下供給時に前記被選別物案内部１０５を前記第一案内姿勢から前記第二案内姿勢に切り替える姿勢切替機構（図示せず）を備える第一選別装置が提案されている。
【０００５】
上述の第一選別装置は、前記金属検知部１０２により検知された金属２０２の落下供給時に前記被選別物案内部１０５を前記第二案内姿勢に切り替えて、被選別物２０１を前記金属回収部１０４に案内し、前記金属検知部１０２に金属２０２が検知されないとき、つまり前記搬送部１０１から非金属２０３のみが落下供給されるときには、前記被選別物案内部１０５を前記第一案内姿勢に切り替えて、被選別物２０１を前記非金属回収部１０３に案内することにより、非金属２０３を前記非金属回収部１０３に回収することを目的とするものである。
【０００６】
また、上述の選別装置の他にも、図８に示すように、廃プラスチックを含む被選別物２０１に選別ガスを供給して重量物２０４と軽量物２０５とを選別する風力選別部１１０と、前記風力選別部１１０に向けて被選別物２０１を搬送する搬送機構１１１と、前記風力選別部１１０の下方に選別ガスの流れ方向に沿って順に配置された重量物回収部１１２及び軽量物回収部１１３と、前記搬送機構１１１により搬送され前記風力選別部１１０に落下供給される被選別物２０１に選別ガスを噴射供給する選別ノズル機構１１４とを備える第二選別装置が提案されている。
【０００７】
この第二選別装置は、前記風力選別部１１０に落下供給される被選別物２０１に選別ガスを噴射供給して、被選別物２０１中の廃プラスチックを軽量物２０５として吹き飛ばして前記軽量物回収部１１３に回収し、被選別物２０１中の金属２０２及び高比重の廃プラスチックを重量物２０４としてそのまま落下させて前記重量物回収部１１２に回収するものである。
【特許文献１】特開２００３−１６３２号公報
【発明の開示】
【発明が解決しようとする課題】
【０００８】
しかし、上述の第一選別装置では、前記金属検知部１０２により検知された金属２０２の落下供給時に金属２０２と非金属２０３とを含む被選別物２０１が前記金属回収部１０４に案内されるものであるため、選別精度はそれ程高いものではなく、前記金属回収部１０４に案内される被選別物２０１から金属２０２または廃プラスチックを多数の人手により選別する選別作業が必要とされる。
【０００９】
また、被選別物２０１にアルミニウム等の金属が蒸着等された菓子袋やレトルトパック等の廃プラスチックが含まれる場合にも、金属検知部１０２により金属が被選別物２０１に含まれると検知され、本来、非金属回収部１０３に回収されるべき上記の廃プラスチックが金属回収部１０４に案内されるので、上述の問題点と同様に、人手による選別作業が必要とされるものとなっている。
【００１０】
そこで、被選別物２０１に含まれる金属蒸着物等の軽量の廃プラスチックを吹き飛ばして、非金属回収部１１３に回収するために、上述の第二選別装置を採用する場合には、硬質プラスチック等の高比重の廃プラスチック２０６が選別ガスの影響をほとんど受けることなく重量物回収部１１２に落下回収されるので、重量物回収部１１２に回収される廃プラスチックを選別除去するため、上述の第一選別装置と同様に、重量物回収部１１２に回収される被選別物２０１から金属２０２または高比重の廃プラスチック２０６を多数の人手により選別する選別作業が必要とされる。
【００１１】
本発明の目的は、上述した従来の問題点に鑑み、金属が蒸着等された軽量の廃プラスチックや高比重の廃プラスチックが被選別物に含まれる場合であっても、金属と廃プラスチックとの選別精度を向上し、人手による選別作業の負担を軽減することができる選別装置を提供する点にある。
【課題を解決するための手段】
【００１２】
上述の目的を達成するため、本発明による選別装置の第一の特徴構成は、特許請求の範囲の書類の請求項１に記載した通り、被選別物を搬送する搬送部と、前記搬送部により搬送される被選別物に含まれる金属を検知する金属検知部と、前記搬送部から落下供給される被選別物を非金属回収部に案内する第一案内姿勢と金属回収部に案内する第二案内姿勢との間で案内姿勢を切替可能な被選別物案内部を備えた選別部と、前記金属検知部により検知された金属の落下供給時に前記被選別物案内部を前記第一案内姿勢から前記第二案内姿勢に切り替える姿勢切替機構を備えてある選別装置であって、前記被選別物案内部が前記第二案内姿勢にあるときに、落下供給される被選別物に選別ガスを噴射供給して、軽量物を前記非金属回収部に案内するノズル機構を備える点にある。
【００１３】
上述の構成によれば、被選別物案内部が第二案内姿勢にあるときに、落下供給される被選別物に選別ガスを噴射供給して、軽量物を非金属回収部に案内するノズル機構を設けてあるので、被選別物中に金属蒸着物等の軽量の廃プラスチックが含まれる場合であっても、軽量の廃プラスチックを選別ガスにより吹き飛ばして非金属回収部に案内することができる。また、被選別物案内部が第一案内姿勢にあるときには、被選別物が全て非金属回収部に案内され、金属回収部に案内される廃プラスチックの量が大きく低減されるので、被選別物の選別効率が向上し、金属回収部に案内される被選別物から金属または廃プラスチックを選別するための人手による選別作業の負担が軽減される。
【００１４】
同第二の特徴構成は、同請求項２に記載した通り、上述の第一の特徴構成に加えて、前記ノズル機構に選別ガスを供給する送風機と、前記送風機による前記ノズル機構への送風量を調節する送風量調節機構を備え、前記被選別物案内部の案内姿勢に応じて前記送風量調節機構による送風量を調節する第一風量調節機構を備えてある点にある。
【００１５】
被選別物案内部が第一案内姿勢にあるときは、被選別物は全て非金属回収部に案内されるので、ノズル機構から選別ガスを噴射供給する必要はなく、被選別物案内部が第二案内姿勢にあるときにのみ、ノズル機構から被選別物に選別ガスを噴射して、軽量物を非金属回収部に案内すればよい。そこで、被選別物案内部の案内姿勢に応じて送風量調節機構による送風量を調整することにより、無用な塵埃の飛散を防止しながら、送風機の負荷の低減により消費電力を低減させることができる。
【００１６】
同第三の特徴構成は、同請求項３に記載した通り、上述の第二の特徴構成に加えて、前記ノズル機構より供給される選別ガスを誘引排気する誘引機と、前記誘引機による前記選別ガスの誘引量を調節する誘引量調節機構とを備え、前記誘引量調節機構による誘引量と前記送風量調節機構による送風量を同期させて調整する第二風量調節機構を備えてある点にある。
【００１７】
被選別物案内部が第一案内姿勢にあるときは、ノズル機構からの選別ガスの供給が停止されるので、誘引機により選別ガスを誘引排気する必要はなく、被選別物案内部が第二案内姿勢にあるときにのみ、誘引機によりノズル機構から噴射供給される選別ガスを誘引排気すればよい。そこで、誘引量調節機構による誘引量を送風量調節機構による送風量と同期させて調整することにより、誘引機の負荷の低減により消費電力を低減させることができる。
【００１８】
同第四の特徴構成は、同請求項４に記載した通り、上述の第一から第三の何れかの特徴構成に加えて、前記金属回収部に回収された被選別物から軽量物を除去する振動選別機構を備える点にある。
【００１９】
上述の構成によれば、振動選別機構により金属回収部に回収された被選別物から軽量物を除去することができるので、人手による選別作業の負担を軽減することができるのである。
【発明の効果】
【００２０】
以上説明した通り、本発明によれば、被選別物に金属が蒸着等された軽量の廃プラスチックや高比重の廃プラスチックが含まれる場合であっても、金属と廃プラスチックの選別精度を向上し、人手による選別作業の負担を軽減することができる選別装置を提供することができるようになる。
【発明を実施するための最良の形態】
【００２１】
以下に、本発明による選別装置の実施の形態を説明する。図１及び図２に示すように、選別装置１は、被選別物１０を搬送する搬送部２と、前記搬送部２により搬送される被選別物１０に含まれる金属１１を検知する金属検知部３と、前記搬送部２から落下供給される被選別物１０を非金属回収部４２に案内する第一案内姿勢と金属回収部４３に案内する第二案内姿勢との間で案内姿勢を切替可能な被選別物案内部４１を備えた選別部４と、前記金属検知部３により検知された金属１１の落下供給時に前記被選別物案内部４１を前記第一案内姿勢から前記第二案内姿勢に切り替える姿勢切替機構５（図２参照）と、前記被選別物案内部４１が前記第二案内姿勢にあるときに、落下供給される被選別物１０に選別ガスを噴射供給して、軽量物１２を前記非金属回収部４２に案内するノズル機構６と、前記金属回収部４３に回収された被選別物１０から軽量物を除去する振動選別機構８と、選別動作を制御する制御部９を備えて構成される。  
【００２２】
前記搬送部２は、搬送ベルト上に被選別物１０を乗せて搬送するベルト式コンベア機構で構成され、予め破砕機で粗破砕された被選別物１０を前記選別部４に向かって搬送し、被選別物１０がその端部から方物線軌跡を描いて落下するように構成されている。
【００２３】
前記金属検出部３は、前記搬送部２の搬送路の下面に設けられるコイル（図示せず）と、前記コイルにパルス電圧を印加する電源装置（図示せず）とを備えて構成され、金属１１が前記コイルの近傍に存在するときに前記コイルに発生する電圧曲線の減衰パターンと金属１１が前記コイルの近傍に存在しないときに前記コイルに発生する電圧曲線の減衰パターンとの差を検出することにより、被選別物１０に含まれる金属１１の存在を検知することができるように構成されている。
【００２４】
前記選別部４は、前記ノズル機構６から供給される選別ガスの噴射方向に沿って下部が遠近方向に二股に分岐した前記非金属回収部４２と前記金属回収部４３とを形成するケーシング４４を備えて構成され、前記非金属回収部４２と前記金属回収部４３との分岐点に前記被選別物案内部４１が設けられる。前記被選別物案内部４１は、被選別物１０を案内する案内板４５と、前記案内板４５が前記第一案内姿勢（図１に実線で示す）及び前記第二案内姿勢（図１に破線で示す）をとり得るように回動自在に前記案内板４５の下端部を軸支する支持部材４６とを備えて構成され、前記被選別物案内部４１が前記第一案内姿勢にあるときには、前記案内板４５の上端部が前記搬送部２の先端部より搬送方向上流側に位置するように構成される。前記被選別物案内部４１が前記第二案内姿勢にあるときには、前記案内板４５の上端部が前記搬送部２の先端部より搬送方向下流側に位置するように構成される。さらに、前記ケーシング４４の上部には、前記ノズル機構６から供給される選別ガスを前記ケーシング４４外に排出するための排気口４７が設けられている。
【００２５】
前記被選別物案内部４１が前記第一案内姿勢にあるときには、図３に示すように、前記搬送部２から落下供給される被選別物１０が、傾斜した前記案内板４５上を滑って落下し前記非金属回収部４２に案内され、前記非金属回収部４２の下方に設けられる第一シュート４８を介して前記ケーシング４４外に排出される。従って、前記搬送部２から落下供給される被選別物１０全てが、前記非金属回収部４２に回収される。
【００２６】
前記被選別物案内部４１が前記第二案内姿勢にあるときには、図４に示すように、前記搬送部２から落下供給される被選別物１０のうち重量物がそのまま落下して前記金属回収部４３に案内され、前記金属回収部４３に回収された被選別物１０が前記金属回収部４３の下方に設けられる第二シュート４９を介して前記ケーシング４４外に排出される。一方、金属蒸着物等の軽量の廃プラスチックは、前記ノズル機構６から噴射供給される選別ガスに吹き飛ばされて前記非金属回収部４２に確実に回収される。尚、風力選別時に高比重の廃プラスチックが前記金属回収部４３にそのまま落下回収される場合もある。
【００２７】
前記姿勢切替機構５は、前記ケーシング４４の下端の分岐点と前記被選別物案内部材４１との間に設けられ流体により駆動されるエアモータまたはエアシリンダ等のアクチュエータ（図示せず）を備えて構成され、アクチュエータが前記支持部材４６を中心として前記案内板４５を回動させて、前記被選別物案内部４１の案内姿勢を前記第一案内姿勢又は前記第二案内姿勢の何れか状態で維持することができるように構成されている。
【００２８】
前記ノズル機構６は、その先端部が前記搬送部２による被選別物１０の搬送路幅と同等またはそれより幅広に形成された扁平ノズル６１と、前記扁平ノズル６１に選別ガスを供給する送風機の一例である電動送風機６２と、前記電動送風機６２から前記扁平ノズル６１への送風量を調整する送風量調節機構として、前記扁平ノズル６１と前記電動送風機６２との間に設けられる送風ダンパ機構６３とを備えて構成され、前記被選別物案内部４１が前記第二案内姿勢にあるときに、前記搬送部２により落下供給される被選別物１０に選別ガスを噴射供給して、金属が蒸着等された廃プラスチック等の被選別物１０中の軽量物１２が前記非金属回収部４２に案内されるように構成されている（図４参照）。前記送風ダンパ機構６３は、その開度を変更することにより、前記電動送風機６２から前記扁平ノズル６１への選別ガスの送風量を調整することができ、例えば、その開度が全閉のときには前記電動送風機６２から前記扁平ノズル６１への選別ガスの送風量が零となり、その開度が全開のときには前記扁平ノズル６１から風力選別に適当な送風量の選別ガスが前記選別部４に噴射供給されるように構成されている。
【００２９】
さらに、前記選別装置１は、前記ノズル機構６より前記ケーシング４４内に噴射供給される選別ガスを前記ケーシング４４外に誘引排気する誘引機の一例である電動誘引送風機７１と、前記電動誘引送風機７１により誘引排気される選別ガスに含まれる微細な粉塵を除去するサイクロン方式の集塵機７２と、前記電動誘引送風機７１による前記選別ガスの誘引量を調節する誘引量調節機構として、前記電動誘引送風機７１と前記集塵機７２との間に設けられる排気ダンパ機構７３とを備え、前記ケーシング４４内の選別ガスが前記排気口４７と前記集塵機７２とを介して前記ケーシング４４外へ誘引排気されるように構成されている。前記排気ダンパ機構７３は、その開度を変更することにより、前記ケーシング４４内から前記電動誘引送風機７１への選別ガスの誘引量を調整することができ、例えば、その開度が全閉のときには前記ケーシング４４内から前記電動誘引送風機７１への選別ガスの誘引量が零となり、その開度が全開のときには前記ケーシング４４内から前記電動誘引送風機７１への選別ガスの誘引量が前記選別部４での風力選別に適切な量となるように構成されている。
【００３０】
前記振動選別機構８は、前記金属回収部４３から排出される被選別物１０を受ける略平坦な底部と底部の周囲に立設する壁部とを有する１ｍ四方の盆状の構造物で隣接するコンベアに向かって傾斜している受け部８１と、約４０ｍｍの振幅及び約１００Ｈｚの周波数で前記受け部８１を振動させる振動装置８２とを備えて構成される。
【００３１】
上述したように、前記受け部８１には金属１１のみならず風力選別により落下回収された高比重の廃プラスチックも案内されるため、前記受け部８１の振動により誤選別された廃プラスチックが前記受け部８１の上方に、金属１１が前記受け部８１の下方にそれぞれ比重選別されるとともに、前記受け部８１の傾斜により廃プラスチックがコンベアに移送され、金属１１が前記壁部に支持されて前記受け部８１内に留められるように構成されている。
【００３２】
前記制御部９は、シーケンサ等の制御装置で構成され、図２に示すように、前記金属検知部３からの出力信号が入力されるとともに、前記搬送部２、前記姿勢切替機構５、前記送風ダンパ機構６３、前記排気ダンパ機構７３、前記電動送風機６２、前記電動誘引送風機７１及び前記振動装置８２に対する駆動信号が所定のタイミングで出力されるように構成される。
【００３３】
以下に、前記制御部９の動作について説明する。前記選別装置１の起動スイッチ（図示せず）が投入されると、前記送風ダンパ機構６３及び前記排気ダンパ機構７３の開度を全閉とした状態で、前記電動誘引送風機７１及び前記電動送風機６２を起動する。上述の動作が完了した後に、前記被選別物案内部４１が前記第一案内姿勢となるように前記姿勢切替機構５を駆動して、前記振動装置８２の稼動を開始した後に、前記搬送部２での被選別物１０の搬送を開始する。
【００３４】
前記金属検出部３により金属１１が検知されると、前記制御部９は、前記排気ダンパ機構７３の開度が全開となるように切り替えた後に、前記送風ダンパ機構６３の開度が全開となるように切り替え、前記金属検知部３により検出された金属１１を含む被選別物１０が前記搬送部２の先端部から落下する時点で前記被選別物案内部４１が前記第二案内姿勢となるように前記姿勢切替機構５を駆動させる（図４参照）。つまり、前記制御部９は、前記被選別物案内部４１の案内姿勢に応じて前記送風ダンパ機構６３の開度を調節する第一風量調節機構として機能する。
【００３５】
前記金属検出部３において金属１１が検知されない場合、例えば、第二案内姿勢に切替後、所定時間経過しても次の金属検知がなされない場合に、前記制御部９は、前記被選別物案内部４１が前記第一案内姿勢となるように前記姿勢切替機構５を駆動させ、前記送風ダンパ機構６３の開度が全閉となるように切り替えた後に、前記排気ダンパ機構７３の開度が全閉となるように切り替える（図３参照）。つまり、前記制御部９は、前記排気ダンパ機構７３の開度を前記送風ダンパ機構６３の開度と同期させて調整する第二風量調節機構として機能する。また、前記排気ダンパ機構７３の開度を前記送風ダンパ機構６３の開度と同期させて調整するので、風力選別する必要の無い前記第一案内姿勢では、前記送風ダンパ機構６３は全閉となるので、前記ケーシング４４内の空気流が抑制され微細な塵埃の飛散が防止される。
【００３６】
以下に、廃プラスチックサンプル中に金属、アルミ蒸着物等の総重量０．４０６ｋｇの異物サンプルを混入させた被選別物に対して、夫々の選別方法に基づいて、重量側と軽量側に選別された重量と比率を測定する試験を行なった結果について説明する。時間当たり４．０ｔで１日８時間選別、つまり、１日に３２ｔを選別したときの選別試験の結果、図５に示すように、従来の第一選別装置では、硬質プラスチックを含む被選別物の選別は可能であるものの、本来、非金属回収部に回収されるべきアルミ蒸着物等の軽量の廃プラスチックが金属回収部に回収されてしまうため、金属回収部に回収される被選別物の重量が一日当たり６６５６ｋｇ（３２ｔ×０．２０８＝６．６５６ｔ／日）と大量になり、この被選別物から廃プラスチックを取り出すために、多数の人手による選別作業が必要となることが裏付けられる。また、従来の第二選別装置では、金属蒸着物等の軽量の廃プラスチックの選別と選別精度は改善されるものの、本来、非金属回収部に回収されるべき廃プラスチックのうち、硬質プラスチック等の高比重の廃プラスチックが金属回収部に回収されてしまうことがあるため、金属回収部に回収される被選別物の重量が一日当たり３８７２ｋｇと大量になり、この被選別物から金属を選別除去して廃プラスチックを取り出すために、多数の人手による選別作業が必要となることが裏付けられる。
【００３７】
しかし、本発明による選別装置によれば、前記ノズル機構６より噴射供給される選別ガスによりアルミ蒸着物等の軽量の廃プラスチックを吹き飛ばして前記非金属回収部４２に回収することができ、金属１１と同伴される廃プラスチックと金属１１とが前記金属回収部４３に回収されるため、前記金属回収部４３に回収される被選別物１０の重量が一日当たり９２８ｋｇと大幅に低減することができ、被選別物１０に金属蒸着物等の軽量の廃プラスチックや硬質プラスチック等の高比重の廃プラスチックが含まれる場合であっても、人手による選別作業の負担を大きく軽減することができることが実証された。さらに、前記振動選別機構８を加えた選別装置１では、前記受け部８１に残留する被選別物１０の重量が一日当たり１５ｋｇとなり、人手による選別作業の負担をさらに軽減することができる。
【００３８】
以下、別実施形態について説明する。上述した実施形態では、金属検知器により案内経路を切り替える選別装置と風力選別装置をと組み合わせた選別装置について述べたが、これに加えて、磁力選別機構を備える選別装置としてもよい。図６に示すように、この選別装置１ａは、上述の選別装置１の構成に加えて、前記搬送部２の先端部に設けられ前記搬送部２の搬送方向に回転する円筒状のマグネットプーリ９１と、回転しないように固定された状態で前記マグネットプーリ９１内に設けられた永久磁石９２と、前記マグネットプーリ９１の下方に設けられ前記マグネットプーリ９１の表面から落下する磁性体１４を外部に排出する排出シュート９３とを備える磁力選別装置９０を備えて構成することができる。
【００３９】
前記搬送部２により搬送される被選別物１０中の金属分には、鉄等の磁性体１４とアルミニウムやステンレス等の非磁性体１５とが混在している場合がある。このような被選別物１０が前記搬送部２の先端部まで搬送されたとき、被選別物１０に含まれる磁性体１４は、前記永久磁石９２にひきつけられて、前記マグネットプーリ９１の表面に吸着された状態で前記マグネットプーリ９１と同様に回転し、前記マグネットプーリ９１の最下端部まで回転して、さらに内部に前記永久磁石９２が設けられる位置を過ぎると、重力により前記マグネットプーリ９１の表面から離脱して前記排出シュート９３に落下して外部に排出される。また、被選別物１０に含まれる非磁性体１５は、前記永久磁石９２の影響を受けることなく、前記搬送部２の先端部から前記マグネットプーリ９１の表面を滑って、前記選別部４に向かって落下する。この選別装置１ａでは、前記磁気選別装置９０により被選別物１０から磁性体１４が選別除去されるので、人手による手選別作業の負担が減少する。
【００４０】
上述の実施形態では、除去するべき最軽量の金属が確実に金属回収部４３に回収されるように、つまり金属が軽量側に吹き飛ばされないように選別風量が一律に設定されるものであるが、前記金属検知部３の検出感度を調整することにより検出される金属の大きさが検知できる点を利用して、検出された金属の大きさに基づいて選別風量を調整する風量調節機構を設けると、検出される金属が大きなものであれば風量を増すことで、金属回収部４３に誤って落下する廃プラスチックの量を減少させることができるようになる。ここに、風量調節機構として前記送風ダンパ機構６３の開度を調節する第一風量調節機構を兼用させることができる。
【００４１】
上述した実施形態では、搬送部から落下供給される被選別物を非金属回収部に案内する第一案内姿勢と金属回収部に案内する第二案内姿勢との間で案内姿勢を切替可能な被選別物案内部が、前記非金属回収部４２と前記金属回収部４３との分岐点に設けられ、前記被選別物１０を案内する案内板４５で構成されたものを説明したが、被選別物案内部の具体的な構成はこのようなものに限るものではなく、例えば、前記非金属回収部４２と前記金属回収部４３の何れかを、その相対位置関係を保ったままで前記搬送部の端部つまり被選別物の落下供給部位の直下に移動させる移動機構により、被選別物を非金属回収部に案内する第一案内姿勢と金属回収部に案内する第二案内姿勢との間で案内姿勢を切替可能な被選別物案内部が構成されるものであってもよい。また、例えば、被搬送物を前記非金属回収部４２または前記金属回収部４３の何れかの直上から落下させるように搬送する搬送機構により被選別物を非金属回収部に案内する第一案内姿勢と金属回収部に案内する第二案内姿勢との間で案内姿勢を切替可能な被選別物案内部が構成されるものであってもよい。後者の場合には、上述のベルト式コンベア機構の搬送側端部位置が前記非金属回収部４２または前記金属回収部４３の何れかの直上に位置するように前記ベルト式コンベア機構を出退させる出退機構により被選別物案内部を構成することができる。
【００４２】
上述の実施形態では、送風機として電動送風機を用いたものを説明したが、送風機としては電動送風機以外にコンプレッサによる圧縮空気を噴出する圧縮空気供給機構を用いるものであってもよい。また、前記電動送風機による前記ノズル機構への送風量を調節する送風量調節機構として送風ダンパ機構を採用したものを説明したが、送風量調節機構として前記電動送風機の回転数を制御するインバータ制御部で構成するものであってもよい。同様に誘引機に電動誘引送風機を用いる場合に、誘引量調節機構として前記電動誘引送風機の回転数を制御するインバータ制御部で構成するものであってもよい。この場合、第二風量調節機構は、両インバータ制御部による電動送風機、電動誘引送風機の回転数制御を同期して行なうことにより、上述したダンパ機構と同様の効果を奏するように構成することができる。
【００４３】
尚、上述した実施形態は、本発明の一例に過ぎず、本発明の作用効果を奏する範囲において金属検知部、振動選別機構、磁力選別装置等の具体的構成等を適宜変更設計できることは言うまでもない。
【図面の簡単な説明】
【００４４】
【図１】本発明が採用される選別装置の全体構成図
【図２】選別装置の制御部のブロック構成図
【図３】被選別物案内部が第一案内姿勢に切り替えられたときの選別装置の動作を示す説明図
【図４】被選別物案内部が第二案内姿勢に切り替えられたときの選別装置の動作を示す説明図
【図５】選別装置の構成と人手による選別作業が必要な被選別物の重量との関係を示す表
【図６】別実施形態を示し、磁気選別装置を備える選別装置の説明図
【図７】従来の第一選別装置の全体構成図
【図８】従来の第二選別装置の全体構成図
【符号の説明】
【００４５】
１：選別装置
２：搬送部
３：金属探知部
４：選別部
５：姿勢切替機構
６：ノズル機構
８：振動選別機構
９：第一開度調整機構、第二開度調整機構（制御部）
１０：被選別物
１１：金属
４１：被選別物案内部
４２：非金属回収部
４３：金属回収部
６２：送風機（電動送風機）
６３：送風量調節機構（送風ダンパ機構）
７１：誘引機（電動誘引送風機）
７３：誘引量調節機構（排気ダンパ機構）
【図１】
2007105582.tif 000003
【図２】
2007105582.tif 000004
【図３】
2007105582.tif 000005
【図４】
2007105582.tif 000006
【図５】
2007105582.tif 000007
【図６】
2007105582.tif 000008
【図７】
2007105582.tif 000009
【図８】
2007105582.tif 000010